【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
空間多重を用いて複数の端末装置へ同時にデータを送信する基地局装置であって、
少なくともマルチキャリア伝送方式とシングルキャリア伝送方式とを含む複数の異なる伝送方式を用いた前記複数の端末装置宛のデータを、前記複数の端末装置宛の信号間で生じるユーザ間干渉を抑圧するマルチユーザＭＩＭＯを用いて空間多重して同時に送信することを特徴とする基地局装置。
【請求項２】
前記複数の伝送方式は、少なくとも直交周波数分割多重方式と、マルチキャリア符号分割多重方式とを含むことを特徴とする請求項１に記載の基地局装置。
【請求項３】
マルチキャリア伝送を用いる一つ以上の第１の端末装置宛のデータと、シングルキャリア伝送を用いる一つ以上の第２の端末装置宛のデータとを、マルチユーザＭＩＭＯを用いて空間多重して同時に送信する基地局装置であって、
前記第１の端末装置宛のサブキャリア毎の変調シンボルを、直並列変換して各サブキャリアに割り当てる直並列変換手段と、
前記第２の端末装置宛の時間シンボルの変調シンボルを、時間周波数変換して、マルチキャリア伝送の各サブキャリアの周波数に対応する周波数成分毎のシンボルである周波数成分シンボルに変換する時間周波数変換手段と、
基地局装置の各アンテナと前記各端末装置のアンテナとの間のチャネル状態に基づいて、サブキャリア毎に線形フィルタを算出するフィルタ算出手段と、
直並列変換された前記第１の端末装置宛の変調シンボルと、前記第２の端末装置宛の時間シンボルの変調シンボルが時間周波数変換された前記周波数成分シンボルとに、前記フィルタ算出手段が算出した前記線形フィルタをサブキャリア毎に乗算し、各端末装置宛の信号間で生じる干渉を抑圧したマルチユーザＭＩＭＯシンボルを生成する線形フィルタ手段と、
を備え、
前記一つ以上の第１の端末装置と前記一つ以上の第２の端末装置宛に、干渉を抑圧した前記マルチユーザＭＩＭＯシンボルを空間多重して同時に送信することを特徴とする基地局装置。
【請求項４】
前記フィルタ算出手段は、前記各端末装置から通知されたチャネル状態情報に基づいて線形フィルタである重み行列として算出することを特徴とする請求項３に記載の基地局装置。
【請求項５】
マルチキャリア伝送を用いる一つ以上の第１の端末装置宛のデータと、シングルキャリア伝送を用いる一つ以上の第２の端末装置宛のデータとを、マルチユーザＭＩＭＯを用いて空間多重して同時に送信する基地局装置であって、
前記第１の端末装置宛のサブキャリア毎の変調シンボルを、直並列変換して各サブキャリアに割り当てる直並列変換手段と、
前記各サブキャリアに割り当てられた変調シンボルから、干渉成分を減算する第１の干渉成分減算手段と、
干渉成分が減算された前記第１の端末装置宛の変調シンボルに対して剰余演算を施す第１の剰余演算手段と、
前記第２の端末装置宛の時間シンボルの変調シンボルから、干渉成分を減算する第２の干渉成分減算手段と、
干渉成分が減算された前記第２の端末装置宛の時間シンボルの変調シンボルに対して剰余演算を施す第２の剰余演算手段と、
剰余演算が施された前記第２の端末装置宛の時間シンボルの変調シンボルを、時間周波数変換して、マルチキャリア伝送の各サブキャリアの周波数に対応する周波数成分毎のシンボルである周波数成分シンボルに変換する時間周波数変換手段と、
前記第１の剰余演算手段の剰余演算結果、前記時間周波数変換手段の時間周波数変換結果、および基地局装置の各アンテナと前記各端末装置のアンテナとの間のチャネル状態とに基づいて、前記各端末装置が受ける干渉成分を各サブキャリアに対応する周波数成分毎に算出する干渉成分算出手段と、
前記算出された各サブキャリアに対応する周波数成分毎の干渉成分を周波数時間変換し、干渉成分の時間信号を算出する周波数時間変換手段と、
前記第１の剰余演算手段の剰余演算結果と、前記時間周波数変換手段の時間周波数変換結果の周波数成分シンボルとに対して、基地局装置の各アンテナと前記各端末装置のアンテナとの間のチャネル状態に基づいて生成した線形フィルタを乗算してマルチユーザＭＩＭＯシンボルを生成する線形フィルタ手段とを備え、
前記第１の干渉成分減算手段は、減算する干渉成分として前記干渉成分算出手段で算出した各サブキャリアに対応する周波数成分毎の干渉成分を用い、
前記第２の干渉成分減算手段は、減算する干渉成分として前記周波数時間変換手段で算出した干渉成分の時間信号を用い、
前記一つ以上の第１の端末装置と前記一つ以上の第２の端末装置宛に、干渉を抑圧した前記マルチユーザＭＩＭＯシンボルを空間多重して同時に送信することを特徴とする基地局装置。
【請求項６】
マルチキャリア伝送を用いる一つ以上の第１の端末装置宛のデータと、シングルキャリア伝送を用いる一つ以上の第２の端末装置宛のデータとを、マルチユーザＭＩＭＯを用いて空間多重して同時に送信する基地局装置であって、
前記第１の端末装置宛のサブキャリア毎の変調シンボルを、直並列変換して各サブキャリアに割り当てる直並列変換手段と、
直並列変換された前記第１の端末装置宛の変調シンボルに対し、予め定められたモジュロ幅を用いて剰余演算を施す第１の剰余演算手段と、
基地局装置の各アンテナと前記各端末装置のアンテナとの間のチャネル状態に基づいてチャネル行列をサブキャリア毎に生成し、前記チャネル行列のエルミート共役にＱＲ分解を施して、ユニタリ行列と上三角行列とに分解するＱＲ分解手段と、
前記上三角行列に基づいて、前記第１の剰余演算手段により演算した前記第１の端末装置宛のサブキャリア毎の変調シンボルが、前記第２の端末装置宛の各サブキャリアの周波数成分シンボルに与える干渉成分を算出する干渉成分算出手段と、
前記干渉成分算出手段により算出した干渉成分に対して周波数時間変換を施して干渉成分の時間信号を生成する時間信号生成手段と、
前記第２の端末装置宛の時間シンボルの変調シンボルから干渉成分の時間信号を減算する干渉成分減算手段と、
干渉成分の時間信号を減算された前記第２の端末装置宛の時間シンボルの変調シンボルに対し、予め定められたモジュロ幅を用いて剰余演算を施す第２の剰余演算手段と、
剰余演算された前記第２の端末装置宛の時間シンボルの変調シンボルを、時間周波数変換して、マルチキャリア伝送の各サブキャリアの周波数に対応する周波数成分毎のシンボルである周波数成分シンボルに変換する時間周波数変換手段と、
前記第１の剰余演算手段が出力した前記第１の端末装置宛の変調シンボルと、前記時間周波数変換手段が出力した前記第２の端末装置宛の周波数成分シンボルとに、前記ユニタリ行列を線形フィルタとしてサブキャリア毎に乗算し、各端末装置宛の信号間で生じる干渉を抑圧したマルチユーザＭＩＭＯシンボルを生成する線形フィルタ手段と、
を備え、
前記一つ以上の第１の端末装置と前記一つ以上の第２の端末装置宛に、干渉を抑圧した前記マルチユーザＭＩＭＯシンボルを空間多重して同時に送信することを特徴とする基地局装置。
【請求項７】
マルチキャリア伝送を用いる一つ以上の第１の端末装置宛のデータと、シングルキャリア伝送を用いる一つ以上の第２の端末装置宛のデータとを、マルチユーザＭＩＭＯを用いて空間多重して同時に送信する基地局装置であって、
前記第２の端末装置宛の時間シンボルの変調シンボルに対し、予め定められたモジュロ幅を用いて剰余演算を施す第１の剰余演算手段と、
剰余演算された前記第２の端末装置宛の時間シンボルの変調シンボルを、時間周波数変換して、マルチキャリア伝送の各サブキャリアの周波数に対応する周波数成分毎のシンボルである周波数成分シンボルに変換する時間周波数変換手段と、
基地局装置の各アンテナと前記各端末装置のアンテナとの間のチャネル状態に基づいてチャネル行列をサブキャリア毎に生成し、前記チャネル行列のエルミート共役にＱＲ分解を施して、ユニタリ行列と上三角行列とに分解するＱＲ分解手段と、
前記上三角行列に基づいて、前記時間周波数変換手段が出力した第２の端末装置宛の各サブキャリアの周波数成分シンボルが第１の端末装置宛の各サブキャリアの変調シンボルに与える干渉成分を算出する干渉成分算出手段と、
前記第１の端末装置宛のサブキャリア毎の変調シンボルを直並列変換して各サブキャリアに割り当てる直並列変換手段と、
直並列変換された前記第１の端末装置宛の変調シンボルから、前記干渉成分算出手段で生成した干渉成分を減算する干渉成分減算手段と、
干渉成分を減算された前記第１の端末装置宛の変調シンボルに対し、予め定められたモジュロ幅を用いて剰余演算を施す第２の剰余演算手段と、
前記第２の剰余演算手段が出力した前記第１の端末装置宛の変調シンボルと、前記時間周波数変換手段が出力した前記第２の端末装置宛の周波数成分シンボルとに、前記ユニタリ行列を線形フィルタとしてサブキャリア毎に乗算し、各端末装置宛の信号間で生じる干渉を抑圧したマルチユーザＭＩＭＯシンボルを生成する線形フィルタ手段と、
を備え、
前記一つ以上の第１の端末装置と前記一つ以上の第２の端末装置宛に、干渉を抑圧した前記マルチユーザＭＩＭＯシンボルを空間多重して同時に送信することを特徴とする基地局装置。
【請求項８】
マルチキャリア伝送を用いる一つ以上の第１の端末装置宛のデータと、シングルキャリア伝送を用いる一つ以上の第２の端末装置宛のデータとを、マルチユーザＭＩＭＯを用いて空間多重して同時に送信する基地局装置であって、
端末装置宛の変調シンボルが前記第１の端末装置宛か、前記第２の端末装置宛かを判断して出力先を選択する処理選択手段と、
前記処理選択手段により出力された第１の端末装置宛のサブキャリア毎の変調シンボルを、直並列変換して各サブキャリアに割り当てる直並列変換手段と、
直並列変換された前記第１の端末装置宛の変調シンボルから、該変調シンボルに対する干渉成分を算出する干渉成分算出手段で生成した干渉成分を減算する第１の干渉成分減算手段と、
干渉成分を減算された前記第１の端末装置宛の変調シンボルに対し、予め定められたモジュロ幅を用いて剰余演算を施す第１の剰余演算手段と、
前記処理選択手段により出力された前記第２の端末装置宛の時間シンボルの変調シンボルから干渉成分の時間信号を減算する第２の干渉成分減算手段と、
干渉成分の時間信号を減算された前記第２の端末装置宛の時間シンボルの変調シンボルに対し、予め定められたモジュロ幅を用いて剰余演算を施す第２の剰余演算手段と、
剰余演算された前記第２の端末装置宛の時間シンボルの変調シンボルを、時間周波数変換して、マルチキャリア伝送の各サブキャリアの周波数に対応する周波数成分毎のシンボルである周波数成分シンボルに変換する時間周波数変換手段と、
基地局装置の各アンテナと前記各端末装置のアンテナとの間のチャネル状態に基づいてチャネル行列をサブキャリア毎に生成し、前記チャネル行列のエルミート共役にＱＲ分解を施して、ユニタリ行列と上三角行列とに分解するＱＲ分解手段と、
前記上三角行列に基づいて、前記第１の剰余演算手段により演算した前記第１の端末装置宛のサブキャリア毎の変調シンボルが前記第２の端末装置宛の各サブキャリアの周波数成分シンボルに与える干渉成分、あるいは前記時間周波数変換手段が出力した第２の端末装置宛の各サブキャリアの周波数成分シンボルが第１の端末装置宛の各サブキャリアの変調シンボルに与える干渉成分を算出する干渉成分算出手段と、
前記第１の端末装置宛のサブキャリア毎の変調シンボルが前記第２の端末装置宛の各サブキャリアの周波数成分シンボルに与える干渉成分の場合、干渉成分に対して周波数時間変換を施して干渉成分の時間信号を生成して前記第２の干渉成分減算手段に出力する時間信号生成手段と、
前記第１の剰余演算手段が出力した前記第１の端末装置宛の変調シンボルと、前記時間周波数変換手段が出力した前記第２の端末装置宛の周波数成分シンボルとに、前記ユニタリ行列を線形フィルタとしてサブキャリア毎に乗算することによって、各端末装置宛の信号間で生じる干渉を抑圧したマルチユーザＭＩＭＯシンボルを生成する線形フィルタ手段と、
を備え、
前記一つ以上の第１の端末装置と前記一つ以上の第２の端末装置宛に、干渉を抑圧した前記マルチユーザＭＩＭＯシンボルを空間多重して同時に送信することを特徴とする基地局装置。
【請求項９】
請求項１乃至８のいずれかに記載の基地局装置と、
マルチキャリア伝送を用いる一つ以上の第１の端末装置と、
シングルキャリア伝送を用いる一つ以上の第２の端末装置と、
を備えた無線通信システム。
【請求項１０】
マルチキャリア伝送を用いる一つ以上の第１の端末装置宛のデータと、シングルキャリア伝送を用いる一つ以上の第２の端末装置宛のデータとを、マルチユーザＭＩＭＯを用いて空間多重して同時に送信する基地局装置の送信方法であって、
前記第１の端末装置宛のサブキャリア毎の変調シンボルを、直並列変換して各サブキャリアに割り当てる直並列変換ステップと、
前記第２の端末装置宛の時間シンボルの変調シンボルを、時間周波数変換して、マルチキャリア伝送の各サブキャリアの周波数に対応する周波数成分毎のシンボルである周波数成分シンボルに変換する時間周波数変換ステップと、
基地局装置の各アンテナと前記各端末装置のアンテナとの間のチャネル状態に基づいて、サブキャリア毎に線形フィルタを算出するフィルタ算出ステップと、
直並列変換された前記第１の端末装置宛の変調シンボルと、時間周波数変換された前記第２の端末装置宛の周波数成分シンボルとに、前記フィルタ算出ステップで算出した前記線形フィルタをサブキャリア毎に乗算することによって、各端末装置宛の信号間で生じる干渉を抑圧したマルチユーザＭＩＭＯシンボルを生成する線形フィルタステップと、
を備え、
前記一つ以上の第１の端末装置と前記一つ以上の第２の端末装置宛に、干渉を抑圧した前記マルチユーザＭＩＭＯシンボルを空間多重して同時に送信することを特徴とする基地局装置の送信方法。
【請求項１１】
マルチキャリア伝送を用いる一つ以上の第１の端末装置宛のデータと、シングルキャリア伝送を用いる一つ以上の第２の端末装置宛のデータとを、マルチユーザＭＩＭＯを用いて空間多重して同時に送信する基地局装置の送信方法であって、
前記第１の端末装置宛の変調シンボルを、直並列変換して各サブキャリアに割り当てる直並列変換ステップと、
前記各サブキャリアに割り当てられた変調シンボルから、干渉成分を減算する第１の干渉成分減算ステップと、
干渉成分が減算された前記第１の端末装置宛の変調シンボルに対して剰余演算を施す第１の剰余演算ステップと、
前記第２の端末装置宛の時間シンボルの変調シンボルから、干渉成分を減算する第２の干渉成分減算ステップと、
干渉成分が減算された前記第２の端末装置宛の時間シンボルの変調シンボルに対して剰余演算を施す第２の剰余演算ステップと、
剰余演算が施された前記第２の端末装置宛の時間シンボルの変調シンボルを、時間周波数変換して、マルチキャリア伝送の各サブキャリアに対応する周波数成分毎のシンボルである周波数成分シンボルに変換する時間周波数変換ステップと、
前記第１の剰余演算ステップの剰余演算結果、前記時間周波数変換ステップの時間周波数変換結果、および基地局装置の各アンテナと前記各端末装置のアンテナとの間のチャネル状態とに基づいて、前記各端末装置が受ける干渉成分を各サブキャリアに対応する周波数成分毎に算出する干渉成分算出ステップと、
前記算出された各サブキャリアに対応する周波数成分毎の干渉成分を周波数時間変換し、干渉成分の時間信号を算出する周波数時間変換ステップと、
前記第１の剰余演算ステップの剰余演算結果と、前記時間周波数変換ステップの時間周波数変換結果の周波数成分シンボルに対して、基地局装置の各アンテナと前記各端末装置のアンテナとの間のチャネル状態に基づいて生成した線形フィルタを乗算してマルチユーザＭＩＭＯシンボルを生成する線形フィルタステップとを備え、
前記第１の干渉成分減算ステップは、減算する干渉成分として前記干渉成分算出ステップで算出した各サブキャリアに対応する周波数成分毎の干渉成分を用い、
前記第２の干渉成分減算ステップは、減算する干渉成分として前記周波数時間変換ステップで算出した干渉成分の時間信号を用い、
前記一つ以上の第１の端末装置と前記一つ以上の第２の端末装置宛に、干渉を抑圧した前記マルチユーザＭＩＭＯシンボルを空間多重して同時に送信することを特徴とする基地局装置の送信方法。
【請求項１２】
マルチキャリア伝送を用いる一つ以上の第１の端末装置宛のデータと、シングルキャリア伝送を用いる一つ以上の第２の端末装置宛のデータとを、マルチユーザＭＩＭＯを用いて空間多重して同時に送信する基地局装置の送信方法であって、
前記第１の端末装置宛のサブキャリア毎の変調シンボルを、直並列変換して各サブキャリアに割り当てる直並列変換ステップと、
直並列変換された前記第１の端末装置宛の変調シンボルに対し、予め定められたモジュロ幅を用いて剰余演算を施す第１の剰余演算ステップと、
基地局装置の各アンテナと前記各端末装置のアンテナとの間のチャネル状態に基づいてチャネル行列をサブキャリア毎に生成し、前記チャネル行列のエルミート共役にＱＲ分解を施して、ユニタリ行列と上三角行列とに分解するＱＲ分解ステップと、
前記上三角行列に基づいて、前記第１の剰余演算ステップで演算した前記第１の端末装置宛のサブキャリア毎の変調シンボルが、前記第２の端末装置宛の各サブキャリアの周波数成分シンボルに与える干渉成分を算出する干渉成分算出ステップと、
前記干渉成分算出ステップにより算出した干渉成分に対して周波数時間変換を施して干渉成分の時間信号を生成する時間信号生成ステップと、
前記第２の端末装置宛の時間シンボルの変調シンボルから前記干渉成分の時間信号を減算する干渉成分減算ステップと、
干渉成分の時間信号を減算された前記第２の端末装置宛の時間シンボルの変調シンボルに対し、予め定められたモジュロ幅を用いて剰余演算を施す第２の剰余演算ステップと、
剰余演算された前記第２の端末装置宛の時間シンボルの変調シンボルを、時間周波数変換して、マルチキャリア伝送の各サブキャリアの周波数に対応する周波数成分毎のシンボルである周波数成分シンボルを生成する時間周波数変換ステップと、
前記第１の剰余演算ステップで出力した前記第１の端末装置宛の変調シンボルと、前記時間周波数変換ステップで出力した前記第２の端末装置宛の周波数成分シンボルとに、前記ユニタリ行列を線形フィルタとしてサブキャリア毎に乗算することによって、各端末装置宛の信号間で生じる干渉を抑圧したマルチユーザＭＩＭＯシンボルを生成する線形フィルタステップと、
を備え、
前記一つ以上の第１の端末装置と前記一つ以上の第２の端末装置宛に、干渉を抑圧した前記マルチユーザＭＩＭＯシンボルを空間多重して同時に送信することを特徴とする基地局装置の送信方法。
【請求項１３】
マルチキャリア伝送を用いる一つ以上の第１の端末装置宛のデータと、シングルキャリア伝送を用いる一つ以上の第２の端末装置宛のデータとを、マルチユーザＭＩＭＯを用いて空間多重して同時に送信する基地局装置の送信方法であって、
前記第２の端末装置宛の時間シンボルの変調シンボルに対し、予め定められたモジュロ幅を用いて剰余演算を施す第１の剰余演算ステップと、
剰余演算された前記第２の端末装置宛の時間シンボルの変調シンボルを、時間周波数変換して、マルチキャリア伝送の各サブキャリアの周波数に対応する周波数成分毎のシンボルである周波数成分シンボルに変換する時間周波数変換ステップと、
基地局装置の各アンテナと前記各端末装置のアンテナとの間のチャネル状態に基づいてチャネル行列をサブキャリア毎に生成し、前記チャネル行列のエルミート共役にＱＲ分解を施して、ユニタリ行列と上三角行列とに分解するＱＲ分解ステップと、
前記上三角行列に基づいて、前記時間周波数変換ステップで出力した第２の端末装置宛の各サブキャリアの周波数成分シンボルが第１の端末装置宛の各サブキャリアの変調シンボルに与える干渉成分を算出する干渉成分算出ステップと、
前記第１の端末装置宛のサブキャリア毎の変調シンボルを、直並列変換して各サブキャリアに割り当てる直並列変換ステップと、
直並列変換された前記第１の端末装置宛の変調シンボルから、前記干渉成分算出ステップで生成した干渉成分を減算する干渉成分減算ステップと、
干渉成分を減算された前記第１の端末装置宛の変調シンボルに対し、予め定められたモジュロ幅を用いて剰余演算を施す第２の剰余演算ステップと、
前記第２の剰余演算ステップで出力した前記第１の端末装置宛の変調シンボルと、前記時間周波数変換ステップで出力した前記第２の端末装置宛の変調シンボルとに、前記ユニタリ行列を線形フィルタとしてサブキャリア毎に乗算し、各端末装置宛の信号間で生じる干渉を抑圧したマルチユーザＭＩＭＯシンボルを生成する線形フィルタステップと、
を備え、
前記一つ以上の第１の端末装置と前記一つ以上の第２の端末装置宛に、干渉を抑圧した前記マルチユーザＭＩＭＯシンボルを空間多重して同時に送信することを特徴とする基地局装置の送信方法。
【請求項１４】
マルチキャリア伝送を用いる一つ以上の第１の端末装置宛のデータと、シングルキャリア伝送を用いる一つ以上の第２の端末装置宛のデータとを、マルチユーザＭＩＭＯを用いて空間多重して同時に送信する基地局装置の送信方法であって、
端末装置宛の変調シンボルが前記第１の端末装置宛か、前記第２の端末装置宛かを判断して出力先を選択する処理選択ステップと、
前記処理選択ステップにより出力された第１の端末装置宛のサブキャリア毎の変調シンボルを、直並列変換して各サブキャリアに割り当てる直並列変換ステップと、
直並列変換された前記第１の端末装置宛の変調シンボルから、該変調シンボルに対する干渉成分を算出する干渉成分算出ステップで生成した干渉成分を減算する第１の干渉成分減算ステップと、
干渉成分を減算された前記第１の端末装置宛の変調シンボルに対し、予め定められたモジュロ幅を用いて剰余演算を施す第１の剰余演算ステップと、
前記処理選択ステップで出力された前記第２の端末装置宛の時間シンボルの変調シンボルから干渉成分の時間信号を減算する第２の干渉成分減算ステップと、
干渉成分の時間信号を減算された前記第２の端末装置宛の時間シンボルの変調シンボルに対し、予め定められたモジュロ幅を用いて剰余演算を施す第２の剰余演算ステップと、
剰余演算された前記第２の端末装置宛の時間シンボルの変調シンボルを、時間周波数変換して、マルチキャリア伝送の各サブキャリアの周波数に対応する周波数成分毎のシンボルである周波数成分シンボルに変換する時間周波数変換ステップと、
基地局装置の各アンテナと前記各端末装置のアンテナとの間のチャネル状態に基づいてチャネル行列をサブキャリア毎に生成し、前記チャネル行列のエルミート共役にＱＲ分解を施して、ユニタリ行列と上三角行列とに分解するＱＲ分解ステップと、
前記上三角行列に基づいて、前記第１の剰余演算ステップで演算した前記第１の端末装置宛のサブキャリア毎の変調シンボルが前記第２の端末装置宛の各サブキャリアの周波数成分シンボルに与える干渉成分、あるいは前記時間周波数変換ステップで出力した第２の端末装置宛の各サブキャリアの周波数成分シンボルが第１の端末装置宛の各サブキャリアの変調シンボルに与える干渉成分を算出する干渉成分算出ステップと、
前記第１の端末装置宛のサブキャリア毎の変調シンボルが前記第２の端末装置宛の各サブキャリアの周波数成分シンボルに与える干渉成分の場合、干渉成分に対して周波数時間変換を施して干渉成分の時間信号を生成して前記第２の干渉成分減算ステップに出力する時間信号生成ステップと、
前記第１の剰余演算ステップが出力した前記第１の端末装置宛の変調シンボルと、前記時間周波数変換ステップが出力した前記第２の端末装置宛の周波数成分シンボルとに、前記ユニタリ行列を線形フィルタとしてサブキャリア毎に乗算し、各端末装置宛の信号間で生じる干渉を抑圧したマルチユーザＭＩＭＯシンボルを生成する線形フィルタステップと、
を備え、
前記一つ以上の第１の端末装置と前記一つ以上の第２の端末装置宛に、干渉を抑圧した前記マルチユーザＭＩＭＯシンボルを空間多重して同時に送信することを特徴とする基地局装置の送信方法。
【請求項１５】
コンピュータに、請求項１０乃至１４に記載の送信方法の各ステップを実行させるための送信プログラム。